(57)【要約】【課題】吐水部材に抜け止め具を装着するときに抜け止め具を定位置に容易に配置できる手洗装置を提供する。【解決手段】手洗装置は、手洗器２０と、手洗器２０に形成される貫通孔３５に挿通される挿通軸部５３と、手洗器２０の裏面側に貫通孔３５から突き出る挿通軸部５３の一部に設けられる被装着部６５と、を有する吐水部材と、被装着部６５に装着され、挿通軸部５３の軸方向に吐水部材を固定する抜け止め具９０と、を備え、被装着部６５には、その径方向外側に張り出す係止段部５５が形成され、抜け止め具９０は、手洗器２０の裏面側に形成される貫通孔３５の開口４２と抜止段部８１の間に差し込まれる差込部９３を有し、差込部９３より挿通軸部５３の径方向外側に設けられ、開口４２と抜止段部８１の間に差し込まれるときに差込部９３を案内するガイド部４５を更に備えることを特徴とする。【選択図】図６
2015190250.tif 000002
【特許請求の範囲】
【請求項１】
鉢部を有する手洗器と、
前記手洗器に形成される貫通孔に挿通される挿通軸部と、前記手洗器の裏面側に前記貫通孔から突き出る前記挿通軸部の一部に設けられる被装着部と、を有し、前記鉢部に水を吐き出すための吐水口が形成される吐水部材と、
前記被装着部に装着され、前記挿通軸部の軸方向に前記吐水部材を固定する抜け止め具と、を備え、
前記被装着部には、その径方向外側に張り出す抜止段部が形成され、
前記抜け止め具は、前記手洗器の裏面側に形成される前記貫通孔の開口と前記抜止段部の間に差し込まれる差込部を有し、
前記差込部より前記挿通軸部の径方向外側に設けられ、前記開口と前記抜止段部の間に差し込まれるときに前記差込部を案内するガイド部を更に備えることを特徴とする手洗装置。
【請求項２】
前記ガイド部には、前記差込部の差込方向の入側から奥側に向かうにつれて前記差込部との間隔が狭まるようにテーパー部が形成されることを特徴とする請求項１に記載の手洗装置。
【請求項３】
前記ガイド部は、前記手洗器の一部として一体成形されることを特徴とする請求項１または２に記載の手洗装置。
【請求項４】
前記抜け止め具は、基部と、前記基部から延びる一対の前記差込部と、前記一対の差込部のそれぞれに形成される爪部と、を含み、スナップフィットにより前記一対の差込部の爪部が前記被装着部に係合されて、該被装着部に装着されることを特徴とする請求項１から３のいずれかに記載の手洗装置。
【請求項５】
前記一対の差込部の間に前記ガイド部が入り込むように前記抜け止め具を移動させたとき、前記基部と前記ガイド部の接触により、前記一対の差込部の爪部が前記被装着部に係合して装着される位置まで前記抜け止め具が移動不能となることを特徴とする請求項４に記載の手洗装置。
【請求項６】
前記開口の周縁部より前記挿通軸部の先端側には、前記開口と前記抜止段部の間に前記差込部が差し込まれるときに、その先端部の移動を許容する空間が設けられることを特徴とする請求項１から５のいずれかに記載の手洗装置。
【発明の詳細な説明】
【技術分野】
【０００１】
本発明は、トイレや洗面所等に設置される手洗装置に関する。
【背景技術】
【０００２】
従来より、トイレの利用後にユーザが手洗いできるように、手洗装置を組み合わせたトイレユニットが提案されている。このユニットでは、通常、洗浄水を貯留するロータンクの上部に蓋として手洗装置が取り付けられる。手洗装置は、鉢部を有する手洗器に貫通孔が形成され、吐水部材の一部が貫通孔に挿通された状態で固定される。
【０００３】
特許文献１では、手洗器の裏面側にて吐水部材に設けられる被装着部にクリップ等の抜け止め具を装着し、吐水部材を手洗器に固定する構造が提案されている。抜け止め具は、基部と、基部から延びる一対の差込部と、各差込部に形成される一対の爪部とを有する。抜け止め具は、各差込部の間に被装着部が位置するように配置され、各爪部を被装着部に係合させてこれに装着される。
【先行技術文献】
【特許文献】
【０００４】
【特許文献１】特開平２０１２−０８７４６９号公報
【発明の概要】
【発明が解決しようとする課題】
【０００５】
抜け止め具は、吐水部材の被装着部に各爪部を係合させるため、被装着部に対する向きが合うように定位置に配置する必要がある。特許文献１の構造では、抜け止め具を装着するとき、作業者がその向きを調整しつつ定位置まで移動させなければならず、作業者に余計な負担をかけていた。
【０００６】
本発明は、このような課題に鑑みてなされ、その目的は、吐水部材に抜け止め具を装着するときに抜け止め具を定位置に容易に配置できる手洗装置を提供することにある。
【課題を解決するための手段】
【０００７】
上述の課題を解決するための本発明のある態様は、手洗装置に関する。手洗装置は、鉢部を有する手洗器と、手洗器に形成される貫通孔に挿通される挿通軸部と、手洗器の裏面側に貫通孔から突き出る挿通軸部の一部に設けられる被装着部と、を有し、鉢部に水を吐き出すための吐水口が形成される吐水部材と、被装着部に装着され、挿通軸部の軸方向に吐水部材を固定する抜け止め具と、を備え、被装着部には、その径方向外側に張り出す抜止段部が形成され、抜け止め具は、手洗器の裏面側に形成される貫通孔の開口と抜止段部の間において、挿通軸部の軸方向と交差する方向に沿って差し込まれる差込部を有し、差込部より挿通軸部の径方向外側に設けられ、開口と抜止段部の間に差し込まれるときに差込部を案内するガイド部を更に備えることを特徴とする。
この態様によれば、ガイド部により抜け止め具の向きを調整しつつ、手洗器の貫通孔の開口と段部の間に差込部を差し込める。よって、抜け止め具を定位置に容易に配置できる。
【０００８】
また、前述の態様において、ガイド部には、差込部の差込方向の入側から奥側に向かうにつれて差込部との間隔が狭まるようにテーパー部が形成されてもよい。
この態様によれば、ガイド部と被装着部の間において、抜け止め具の差込部の先端部を差込方向の入側から挿入し易くなり、その作業性が良好となる。
【０００９】
また、前述の態様において、ガイド部は、手洗器の一部として一体成形されてもよい。
この態様によれば、ガイド部を別部品とするより部品数が抑えられ、組み付けに要する工数やコストを抑えられる。
【００１０】
また、前述の態様において、抜け止め具は、基部と、基部から延びる一対の差込部と、一対の差込部のそれぞれに形成される爪部と、を含み、スナップフィットにより一対の差込部の爪部が挿通軸部に係合され、挿通軸部に装着されてもよい。
また、この態様において、一対の差込部の間にガイド部が入り込むように抜け止め具を移動させたとき、基部とガイド部の接触により、一対の差込部の爪部が挿通軸部に係合して装着される位置まで抜け止め具が移動不能となってもよい。
この態様によれば、抜け止め具を特定の差込方向とは異なる方向から装着しようとするとき、ガイド部により抜け止め具の移動が規制されて装着できず、その誤組立を防止できる。
【００１１】
また、この態様において、開口の周縁部より挿通軸部の先端側には、開口と段部の間に差込部が差し込まれるときに、その先端部の移動を許容する空間が設けられてもよい。
この態様によれば、抜け止め具の差込部を差込方向に差し込むとき、その空間まで差込部を配置でき、その差込量を大きくできる。
【発明の効果】
【００１２】
本発明によれば、吐水部材に抜け止め具を装着するとき、抜け止め具を定位置に容易に配置できる。
【図面の簡単な説明】
【００１３】
【図１】第１実施形態に係る手洗装置が用いられるトイレユニットを示す斜視図である。
【図２】第１実施形態に係るキャビネットに設置される手洗装置を示す側面断面図である。
【図３】第１実施形態に係る吐水部材を示す外観図である
【図４】図４（ａ）は図３のＡ−Ａ線断面図であり、図４（ｂ）は図３のＢ−Ｂ線断面図であり、図４（ｃ）は図３のＣ−Ｃ線断面図である。
【図５】図２のＤ−Ｄ線断面図である。
【図６】第１実施形態に係る抜け止め具を被装着部から取り外したときの状態を示す部分断面斜視図である。
【図７】図２のＥ−Ｅ線断面図である。
【図８】図２のＦ−Ｆ線断面図である。
【図９】第１実施形態に係る抜け止め具を被装着部に装着した状態を示す部分断面斜視図である。
【図１０】図１０（ａ）及び図１０（ｂ）は第１実施形態に係る抜け止め具を被装着部に装着するときの状態を示す底面断面図である。
【図１１】図１１（ａ）及び図１１（ｂ）は関連技術としての手洗装置の被装着部に抜け止め具を装着するときの状態を示す底面断面図である。
【図１２】図１２（ａ）及び図１２（ｂ）は第１実施形態に係る抜け止め具を被装着部に他の方向から装着するときの状態を示す底面断面図である。
【図１３】変形例としての手洗装置の被装着部の底面断面図を示す図である。
【発明を実施するための形態】
【００１４】
［第１の実施の形態］
図１は第１実施形態に係る手洗装置１０が用いられるトイレユニット１００を示す斜視図である。トイレユニット１００は、キャビネット１１０と、便器１２０と、手洗装置１０を備える。
【００１５】
キャビネット１１０には、洗浄水タンク１３０が収容されるタンク収容部（図示せず）
が設けられ、タンク収容部の前方には前板１１１が設けられる。前板１１１の前方には便器１２０が設置される。前板１１１の左右方向Ｘの両側には側板１１３が開閉可能に設けられ、側板１１３の奥側には物品収容部（図示せず）が設けられる。キャビネット１１０の上部にはカウンター１１５が設置され、カウンター１１５の左右方向Ｘの一端側には手洗装置１０が設置される。
【００１６】
図２は手洗装置１０の側面断面図を示す。図２では図１の左右方向Ｘに沿った方向から見た断面図を示す。手洗装置１０は、手洗器２０と、吐水部材５０と、抜け止め具９０を備える。以下、図２の前後方向を方向Ｙ、上下方向を方向Ｚとして説明する。なお、方向Ｘ、方向Ｙは互いに直交する水平方向である。
【００１７】
手洗器２０は、鉢部２１と、周壁部２９を有する。手洗器２０は、樹脂材料を素材として各部位が一体成形されるが、セラミックス等を素材としてもよい。鉢部２１は、吐水部材５０から吐き出される水を受ける鉢面２３を上面に有する。鉢部２１の底部には排水口２５が形成され、鉢面２３は排水口２５に向けて下向きに傾斜して設けられる。鉢部２１の底部には下方に突出する排水筒部２７が設けられ、排水筒部２７には排水管１３１の一端部が接続される。排水管１３１は可撓性を有し、その他端部（図示せず）が洗浄水タンク１３０内に配置される。排水筒部２７と排水管１３１の内側には排水路１３２が形成され、鉢面２３で受けた水が排水路１３２を通して洗浄水タンク１３０に排水される。
【００１８】
周壁部２９は、鉢部２１の上端縁部２１ａから下方に延びて形成され、鉢部２１を側方から取り囲むように設けられる。手洗器２０の背面側の周壁部２９には抜け止め具９０を出し入れするための切欠孔３０が形成される。
【００１９】
手洗器２０には、吐水部材５０の係止段部５５（後述する）が着座すべき座面３１が設けられる。座面３１は、鉢面２３の一部として設けられ、水平面に対して傾斜して形成される。手洗器２０には、座面３１と反対側の裏面から下方に突き出る筒状の突設部３３が設けられ、座面３１とともに突設部３３を貫通する貫通孔３５が形成される。
【００２０】
吐水部材５０は、本体部５１と、挿通軸部５３を有する。本体部５１は、樹脂、金属等を素材とする管体により構成され、手洗器２０の座面３１に起立した状態で設けられる。挿通軸部５３は、本体部５１の基端側に設けられる。挿通軸部５３は、手洗器２０の貫通孔３５に挿通され、その先端側が手洗器２０の裏面２４側に突き出る。
【００２１】
挿通軸部５３は、本体部５１の基端部内にその基端部を嵌め合わせた状態で一体化される。吐水部材５０には、本体部５１と挿通軸部５３の間に係止段部５５が形成される。吐水部材５０は、係止段部５５が座面３１に着座した状態で抜け止め具９０により固定される。
【００２２】
本体部５１の先端部には鉢面２３に臨む吐水口５７が形成される。本体部５１と挿通軸部５３の内側には流入路５９が形成される。挿通軸部５３の先端部には導水管接続部７１が設けられ、その導水管接続部７１には導水管１３３の一端部が接続される。導水管接続部７１には雄ねじがねじ切りされ、導水管１３３は雄ねじに螺合されて接続される。導水管１３３は可撓性を有し、その他端部（図示せず）が給水装置としてのボールタップに接続される。導水管１３３の内側には導水路が形成され、吐水部材５０の流入路５９と導水管１３３の導水路により給水路１３４が形成される。吐水口５７には給水装置から給水路１３４を通して水が供給され、鉢部２１の鉢面２３に水が吐き出される。なお、ボールタップは、洗浄水タンク１３０内に設けられ、洗浄水タンク１３０内の水位に連動して給水の有無が切り替えられる。
【００２３】
手洗器２０には、吐水部材５０の係止段部５５と対向する貫通孔３５の周縁部に凹部３７が形成される。凹部３７は、座面３１より窪んで設けられ、その内側にシール部材３９が配置される。シール部材３９は、パッキンであり、ゴム等の弾性を有する素材により構成される。シール部材３９は、吐水部材５０の係止段部５５と、凹部３７の底部との間に挟み込まれ、手洗器２０の貫通孔３５と吐水部材５０の間での漏水が規制される。
【００２４】
図３は吐水部材５０を側面から見た外観図である。吐水部材５０の挿通軸部５３には、その基端側から先端側にかけて、第１軸部６１と、第１フランジ部６３と、被装着部６５と、第２フランジ部６７と、第２軸部６９と、導水管接続部７１が設けられる。挿通軸部５３は、各部位が樹脂材料等により一体成形される。
【００２５】
図４（ａ）は図３のＡ−Ａ線断面図である。図４（ａ）は第１軸部６１の横断面図でもある。第１軸部６１は、内側に流入路５９が形成される筒状部６１ａと、筒状部６１ａの外周部にて周方向に間隔を空けて設けられる複数の摺接部６１ｂとを有する。摺接部６１ｂは軸方向に沿った突条により形成される。挿通軸部５３は、貫通孔３５の内壁面に摺接部６１ｂをスライドさせつつ貫通孔３５に挿入でき、その挿入時の姿勢を一定に保持できる。なお、第２軸部６９の構成も同様であるため、その説明は省略する。
【００２６】
図４（ｂ）は図３のＢ−Ｂ線断面図である。図４（ｂ）は被装着部６５の横断面図でもある。被装着部６５は、内側に流入路５９が形成される筒状部７３と、筒状部７３の外周部にて周方向に間隔を空けて設けられる複数の突条部７５と、筒状部７３の前方に設けられる板状の被係合部７７と、を有する。突条部７５と被係合部７７は軸方向に沿って形成される。
【００２７】
図４（ｃ）は図３のＣ−Ｃ線断面図である。被装着部６５の軸方向中間位置には筒状部７３から径方向外側に張り出すリブにより摺動部７９が形成される。摺動部７９には、被係合部７７の左右方向Ｘの両端から前後方向Ｙに直線状に延びる直線状部分７９ａと、各直線状部分７９ａをつなぐように円弧状に延びる円弧状部分７９ｂとが含まれる。
【００２８】
図３に戻り、第１フランジ部６３と第２フランジ部６７は、被装着部６５の筒状部７３より拡径して形成される。被装着部６５には、第２フランジ部６７の基端側端面により、その径方向外側に張り出す抜止段部８１が形成される。
【００２９】
図５は図２のＤ−Ｄ線断面図である。貫通孔３５は、その断面において、円形状と矩形状を組み合わせた鍵穴形状を有する。第１フランジ部６３は、貫通孔３５と相似する鍵穴形状を有し、その貫通孔３５に嵌め入れられる。挿通軸部５３は、その軸直交方向の移動や軸方向周りの回転が、貫通孔３５の内壁面と第１フランジ部６３の係合により規制される。第１フランジ部６３の矩形状部分の外側面６３ｃは、被装着部６５の被係合部７７の外側面７７ａ（図４（ｂ）参照）と面一となるように形成される。なお、第２フランジ部６７も同様の鍵穴形状を有する。
【００３０】
図６は抜け止め具９０を被装着部６５から取り外したときの状態を示す部分断面斜視図である。図６では手洗器２０の斜め下側から挿通軸部５３を見た図を示す。被装着部６５や抜止段部８１は、吐水部材５０の係止段部５５が座面３１に着座したとき、貫通孔３５から裏面側に突き出る挿通軸部５３の一部に形成される。このとき、吐水部材５０の抜止段部８１は、手洗器２０の裏面２４側に形成される貫通孔３５の開口４２と上下方向Ｚに対向して設けられる。
【００３１】
図７は図２のＥ−Ｅ線断面図である。抜け止め具９０はクリップである。抜け止め具９０は、基部９１と、基部９１から延びる一対の差込部９３と、一対の差込部９３のそれぞれの内側に形成される爪部９５とを含む。抜け止め具９０は、各部位が樹脂材料等により一体成形される。
【００３２】
基部９１は円弧状に形成され、その内周側には突起部９７が設けられる。差込部９３は一方向に沿って延びる板状に形成され、一対の差込部９３間の隙間を広げる方向に弾性変形可能である。抜け止め具９０は、各差込部９３の間に被装着部６５が位置するように配置される。
【００３３】
各差込部９３の爪部９５は、スナップフィットにより被装着部６５の被係合部７７に係合され、その係合により抜け止め具９０が被装着部６５に脱着可能に装着される。抜け止め具９０を基部９１の外周側に強く引くと、一対の差込部９３が隙間を広げる方向に弾性変形して爪部９５の係合が解除され、抜け止め具９０を取り外せる。
【００３４】
抜け止め具９０が吐水部材５０に装着される装着位置にあるとき、基部９１の内周部である突起部９７の内周面が被装着部６５の摺動部７９に接触する。抜け止め具９０は、一対の爪部９５と突起部９７により被装着部６５を前後方向Ｙから挟み込んだ状態で装着され、その固定度が増している。
【００３５】
図８は図２のＦ−Ｆ線断面図である。また、図９は抜け止め具９０を被装着部６５に装着した状態を示す部分断面斜視図である。図９では手洗器２０を斜め下側から挿通軸部５３を見た図を示す。
【００３６】
抜け止め具９０の各差込部９３は、貫通孔３５の開口４２と、吐水部材５０の抜止段部８１との間に差し込まれる。この差込方向は、挿通軸部５３の軸方向と交差する特定方向Ｐ（図７参照）となる。この差し込みにより、抜け止め具９０は、開口４２の周縁部４３と抜止段部８１の間に介装される。吐水部材５０の挿通軸部５３が貫通孔３５から抜けようとすると、挿通軸部５３の抜止段部８１に接触する抜け止め具９０が吐水部材５０と一体に移動しようとする。このとき、各差込部９３の先端部９３ａや基部９１が開口４２の周縁部４３に接触し、貫通孔３５から挿通軸部５３が抜け止めされる。抜け止め具９０は、挿通軸部５３の軸方向に吐水部材５０を固定することになる。
【００３７】
図６、図７に示すように、各差込部９３より挿通軸部５３の径方向外側にはガイド部４５が設けられる。ガイド部４５は、開口４２の周縁部４３の一部から挿通軸部５３の先端側である下方に突出して設けられる。また、ガイド部４５は、手洗器２０の突設部３３の一部として一体成形される。
【００３８】
ガイド部４５は、その径方向内側の内側面４５ａが差込方向Ｐに沿って延びるように形成される。ガイド部４５の内側面４５ａには、差込方向Ｐの入側（図７の右側）から出側（図７の左側）に向かうにつれて差込部９３との間隔が狭まるようにテーパー部４６が形成される。
【００３９】
なお、図９に示すように、開口４２の周縁部４３には、前後方向Ｙの前側の部位から下方に突出する突起により装着規制部４８が設けられる。また、周縁部４３より挿通軸部５３の先端側には、開口４２と抜止段部８１の間に差込部９３が差し込まれるとき、その先端部９３ａの移動を許容する空間４９が設けられる。この空間４９は、装着規制部４８より左右方向Ｘの両側に設けられる。
【００４０】
次に、手洗器２０に吐水部材５０を取り付ける方法を説明する。まず、吐水部材５０の挿通軸部５３を手洗器２０の座面３１側から貫通孔３５に挿入する。吐水部材５０は、その係止段部５５が手洗器２０の座面３１に着座するまで移動させる。これにより、手洗器２０の裏面２４側に貫通孔３５から挿通軸部５３が突き出る。
【００４１】
図１０（ａ）は、抜け止め具９０を被装着部６５に装着するときの状態を示す底面断面図である。抜け止め具９０は、一対の差込部９３の先端部間に被装着部６５が位置するように作業者により向きが調整される。本図では、抜け止め具９０の差込部９３が差込方向Ｐに対して傾斜して配置されるが、差込部９３が差込方向Ｐと略平行に配置されてもよい。この状態で手洗器２０の開口４２と抜止段部８１（本図では図示せず）の間に差込部９３が差し込まれるように、抜け止め具９０を差込方向Ｐに移動させる。差込部９３をガイド部４５に接触させると、抜け止め具９０を移動させるにつれて、差込部９３の向きが差込方向Ｐに沿うように案内される。
【００４２】
図１０（ｂ）は、ガイド部４５により抜け止め具９０の差込部９３が案内された後の状態を示す図である。ガイド部４５により抜け止め具９０が案内されると、一対の差込部９３の爪部９５が被装着部６５の摺動部７９に接触し、一対の差込部９３がこれらの隙間を広げる方向に弾性変形する。このまま抜け止め具９０を差込方向Ｐに移動させると、爪部９５が摺動部７９に沿ってスライドする。
【００４３】
抜け止め具９０の突起部９７が摺動部７９に接触するまで移動させると、爪部９５と摺動部７９の接触が解除され、一対の差込部９３が弾性反発力によりこれらの隙間を狭める方向に変形する。抜け止め具９０は、図７に示すように、スナップフィットにより一対の差込部９３の爪部９５が被装着部６５の被係合部７７に係合され、これに装着される。
【００４４】
以上の実施形態に係る手洗装置１０によれば、ガイド部４５により抜け止め具９０の向きを調整しつつ、手洗器２０の開口４２と抜止段部４１の間に差込部９３を差し込める。よって、抜け止め具９０を定位置に容易に配置できるうえ、その装着時の作業性が良好となる。
【００４５】
図１１（ａ）は、関連技術としての手洗装置の被装着部１６５に抜け止め具１９０を装着するときの状態を示す底面断面図である。この手洗装置はガイド部４５がない以外は図１０の形態と構造が共通する。図１１では、図１０に示す構成要素に対応する構成要素には符号に１００を加算して示す。
【００４６】
抜け止め具１９０の差込部１９３が差込方向Ｐに対して傾斜した状態で抜け止め具１９０を差込方向Ｐに移動させる場合を考える。この場合、ガイド部４５により抜け止め具１９０の向きが調整されないため、抜け止め具１９０を移動させるにつれて、一対の差込部１９３が隙間を広げるように弾性変形する。この結果、図１１（ｂ）に示すように、一対の差込部１９３の何れかの爪部１９５が被係合部１７７に係合する位置まで、抜け止め具１９０が差込方向Ｐに移動する場合がある。この状態では、他方の爪部１９５が被係合部１７７に係合していないため、抜け止め具１９０が挿通軸部１５３周りに回転すると、抜け止め具１９０が被装着部１６５から容易に外れてしまう。
【００４７】
この点、本実施形態によれば、抜け止め具９０の向きを調整しつつ差し込めるため、一対の差込部９３の爪部９５を確実に被係合部７７に係合させ易くなり、その装着時の作業性が良好となる。
【００４８】
また、ガイド部４５にはテーパー部４６が形成されるため、ガイド部４５と被装着部６５の間に、抜け止め具９０の差込部９３の先端部９３ａを差込方向Ｐの入側から挿入し易くなり、その作業性がより良好となる。
【００４９】
また、ガイド部４５が手洗器２０の一部として一体成形されるため、ガイド部４５を別部品とするより部品数が抑えられ、組み付けに要する工数やコストを抑えられる。
【００５０】
また、ガイド部４５は以下の機能を奏する。図１２（ａ）では抜け止め具９０を被装着部６５に他の方向から装着するときの状態を示す。抜け止め具９０は、一対の差込部９３に対して左右方向Ｘの一方にガイド部４５が位置するように向きが調整される。この状態で、一対の差込部９３間にガイド部４５が入り込むように抜け止め具９０を移動させると、図１２（ｂ）に示すように、一対の差込部９３間の隙間を広げる方向の差込部９３の弾性変形を伴いつつ、その基部９１がガイド部４５と接触する。これにより、一対の差込部９３の爪部９５が被装着部６５に係合して装着される位置まで抜け止め具９０を移動不能となる。よって、抜け止め具９０を特定の差込方向Ｐとは異なる方向から装着しようとするとき、ガイド部４５により抜け止め具９０の移動が規制されて装着できず、その誤組立を防止できる。
【００５１】
なお、装着規制部４８も同様の機能を発揮する。つまり、一対の差込部９３間に装着規制部４８が入り込むように抜け止め具９０を移動させると、その基部９１が装着規制部４８と接触する。よって、装着規制部４８により抜け止め具９０の移動が規制されて装着できす、その誤組立を防止できる。
【００５２】
また、開口４２の周縁部４３より挿通軸部５３の先端側には、差込部９３の先端部９３ａの移動を許容する空間４９が設けられるため、以下の利点がある。
【００５３】
図１３は、変形例としての手洗装置１０の被装着部６５の底面断面図を示す。開口４２の周縁部４３には、ガイド部４５や装着規制部４８と連なるように壁部４４が設けられる。壁部４４は差込部９３の先端側に設けられる。この場合、抜け止め具９０を差込方向Ｐに差し込むとき、その先端部９３ａが壁部４４と接触してしまい、その差込量が制限される。よって、差込部９３の先端部９３ａの爪部９５を被係合部７７に係合させるうえでは、被係合部７７の位置を差込方向Ｐとは反対側にずらす必要が生じ、被装着部６５の形状が制限されてしまう。
【００５４】
この点、本実施形態によれば、抜け止め具９０を差込方向Ｐに差し込むとき、その先端部９３ａを周縁部４３の下方の空間４９まで配置でき、その差込量を大きくできる。よって、被装着部６５の被係合部７７の位置を差込方向Ｐにずらせるため、被装着部６５の形状の自由度が高められる。また、差込部９３の先端部９３ａが開口４２の周縁部４３に接触でき、抜け止め具９０による吐水部材４０の固定度を大きくできる。
【００５５】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５６】
手洗装置１０は、トイレユニット１００のキャビネット１１０の上部に設置される例を説明したが、その用途はこれに限られず、洗浄水タンク１３０の蓋として用いられてもよい。また、手洗装置１０は、トイレユニット１００の他に、洗面台等に用いられてもよい。
【００５７】
手洗器２０、吐水部材５０は、それらの形状について特に限られず、公知の形状に形成されてもよい。手洗器２０の座面３１は、鉢面２３の一部として設けられたが、鉢面２３とは異なる位置に設けられてもよい。座面３１は、水平面に対して傾斜して設けられたが、水平面と平行に設けられてもよい。吐水部材５０は、本体部５１と挿通軸部５３が別体の部材により構成された例を説明したが、これらが一体の単一の部材により構成されてもよい。
【００５８】
ガイド部４５は、手洗器２０の一部として一体成形されたが、手洗器２０と別体の部材により構成されてもよい。抜け止め具９０は、基部９１と、一対の差込部９３を有したが、少なくとも基部９１と一つの差込部９３を有していればよい。
【符号の説明】
【００５９】
１０…手洗装置、２０…手洗器、２１…鉢部、３５…貫通孔、４０…吐水部材、４２…開口、４３…周縁部、４５…ガイド部、４６…テーパー部、４９…空間、５０…吐水部材、５３…挿通軸部、５５…段部、５７…吐水口、６５…被装着部、８１…抜止段部、９０…抜け止め具、９１…基部、９３…差込部、９３ａ…先端部、９５…爪部。
【図１】
2015190250.tif 000003
【図２】
2015190250.tif 000004
【図３】
2015190250.tif 000005
【図４】
2015190250.tif 000006
【図５】
2015190250.tif 000007
【図６】
2015190250.tif 000008
【図７】
2015190250.tif 000009
【図８】
2015190250.tif 000010
【図９】
2015190250.tif 000011
【図１０】
2015190250.tif 000012
【図１１】
2015190250.tif 000013
【図１２】
2015190250.tif 000014
【図１３】
2015190250.tif 000015